(57)【要約】【解決手段】本発明は、毛髪への薬剤の浸透を促進し又は毛髪に浸透した薬剤を確実に保持させることができる毛髪処理具を提供する。【課題】  本発明の毛髪処理具は、毛髪に接触させて正又は負の電極となり且つ装着させる手に対して電気絶縁性を有する手袋部１と、毛髪を処理される者の身体に接触させ且つ上記電極と反対の電極となる接触部２とを直流電源３を介して電気的に接続してなるので、手袋部を手に装着し、手袋部を装着した手で毛髪に触れると共に、毛髪を処理される者の身体に接触部を接触させて毛髪に負電圧或いは正電圧を印加することによって、薬剤の毛髪内への浸透を促進させ或いは毛髪内に浸透させた薬液を毛髪内に確実に保持させ、薬剤処理効果を効果的に且つ確実に発現させることができる。【選択図】    図１
2005245979.tif 000002
【特許請求の範囲】
【請求項１】
毛髪に接触させて正又は負の電極となり且つ装着させる手に対して電気絶縁性を有する手袋部と、毛髪を処理される者の身体に接触させ且つ上記電極と反対の電極となる接触部とを直流電源を介して電気的に接続してなることを特徴とする毛髪処理具。
【請求項２】
手袋部が、電気絶縁性を有する絶縁性手袋体とこの絶縁性手袋体に被せられる導電性手袋体とからなることを特徴とする請求項１に記載の毛髪処理具。
【請求項３】
導電性手袋が、導電性物質を含有する合成樹脂シート又は導電性繊維からなることを特徴とする請求項２に記載の毛髪処理具。
【発明の詳細な説明】
【技術分野】
【０００１】
本発明は、毛髪に電圧を印加することによって毛髪への薬剤の浸透又は薬剤の効果の保持向上を図る毛髪処理具に関する。
【背景技術】
【０００２】
近年、毛髪のパーマネント処理やカラーリング処理が一般化している。この毛髪のパーマネント処理やカラーリング処理では、先ず、毛髪に第一の薬剤を塗布して毛髪の表面を形成しているキューティクルを開かせると共に開いたキューティクル間から上記薬剤を毛髪内部に浸透させ、パーマネント処理の場合には毛髪内部の蛋白質構造を切断して毛髪を所望のカールに形成し、カラーリング処理の場合にはカラーリング剤を毛髪内部に浸透させ、しかる後、第二の薬剤を毛髪に塗布し、開いたキューティクルを閉じ、毛髪に所望のカールを保持させ或いは毛髪を所望色に着色、保持させている。
【０００３】
しかしながら、毛髪に塗布する第一、第二の薬剤が毛髪に浸透し、毛髪の表面を形成しているキューティクルに十分に作用させるまでに比較的長い時間を要し、パーマネント処理やカラーリング処理を受けている者に大きな負担となっていると共に、薬剤の毛髪への浸透が不十分となって所望のパーマネントやカラーリングが発現しないといった問題点があった。
【０００４】
又、上述のように、毛髪にパーマネント処理やカラーリング処理を施すと、毛髪が損傷するため、トリートメント処理を施すことが多くなってきている。このトリートメント処理は、トリートメント薬剤を毛髪内部に浸透させることによって行われる。
【０００５】
しかしながら、毛髪の表面はキューティクルが覆っていることから、トリートメント薬剤の毛髪内部への浸透は容易ではなく、トリートメント薬剤の毛髪内部への浸透を促進するために、トリートメント薬剤を毛髪に塗布した後に毛髪を加温したり或いは毛髪にトリートメント薬剤を塗布した状態のまま長時間に亘って放置することが行われており、上述と同様に、トリートメント処理を受けている者に大きな負担となっていると共に、毛髪に思ったようにトリートメント効果が顕れないといった問題点があった。
【０００６】
そこで、出願人は、特許文献１にて、毛髪に接触させて正又は負の電極となる櫛部を有する毛髪処理具本体と、毛髪を処理される者の身体に接触させ且つ上記電極と反対の電極となる接触部とを直流電源を介して電気的に接続してなる毛髪処理具を提案した。
【０００７】
しかしながら、上記毛髪処理具は、櫛部を毛髪に接触させて毛髪の処理を行なうものであることから、毛髪の状態や髪質によっては毛髪に対する微妙な処理が思うように行なえない場合があった。
【０００８】
【特許文献１】特開２００３−２１９９０９号公報
【発明の開示】
【発明が解決しようとする課題】
【０００９】
本発明は、毛髪状態や髪質によることなく毛髪に効果的に電圧を印加することによって毛髪の表面を形成しているキューティクルが開き又は閉じるのを促進し、毛髪への薬剤の浸透を促進し又は毛髪に浸透した薬剤の効果を確実に保持させることができる毛髪処理具を提供する。
【課題を解決するための手段】
【００１０】
請求項１の毛髪処理具は、毛髪に接触させて正又は負の電極となり且つ装着させる手に対して電気絶縁性を有する手袋部と、毛髪を処理される者の身体に接触させ且つ上記電極と反対の電極となる接触部とを直流電源を介して電気的に接続してなることを特徴とする。
【００１１】
又、請求項２に記載の毛髪処理具は、請求項１に記載の毛髪処理具において、手袋部が、電気絶縁性を有する絶縁性手袋体とこの絶縁性手袋に被せる導電性手袋体とからなることを特徴とする。
【００１２】
更に、請求項３に記載の毛髪処理具は、請求項２に記載の毛髪処理具において、導電性手袋が、導電性繊維又は導電性物質を含有する合成樹脂シートからなることを特徴とする。
【発明の効果】
【００１３】
本発明の毛髪処理具は、毛髪に接触させて正又は負の電極となり且つ装着させる手に対して電気絶縁性を有する手袋部と、毛髪を処理される者の身体に接触させ且つ上記電極と反対の電極となる接触部とを直流電源を介して電気的に接続してなることを特徴とするので、手袋部を手に装着し、手袋部を装着した手で毛髪に触れると共に、毛髪を処理される者の身体に接触部を接触させて毛髪に負電圧或いは正電圧を印加することによって、毛髪の表面を形成しているキューティクルを積極的に開かせて薬剤の毛髪内への浸透を促進させ或いはキュティクルを積極的に閉じさせて毛髪内に浸透させた薬液を毛髪内に確実に保持させ、薬剤処理効果を効果的に且つ確実に発現させることができる。
【００１４】
しかも、手に装着した手袋部を毛髪側の電極とし、毛髪を手袋部を介して手で触って毛髪に電圧を印加させており、パーマネントの有無といった毛髪の状態や髪質にかかわらず、手袋部を微妙なタッチでもって意図通りに毛髪に接触させて毛髪に適切な電圧を印加させることができ、毛髪のキューティクルの開閉を意図通りに効果的に行ない、薬剤の毛髪への浸透及び保持を確実に行なうことができる。
【００１５】
そして、毛髪への薬剤の浸透及び保持を毛髪の部位毎に微妙に調整することができることから、特に、毛髪にパーマネント処理やカラーリング処理を行なうにあたって、薬液の浸透度合いを毛髪の部位ごとに微妙に変化させることによって意図通りのヘアスタイルを実現することができる。
【発明を実施するための最良の形態】
【００１６】
本発明の毛髪処理具の一例を図面を参照しつつ説明する。毛髪処理具Ａは、図１に示したように、毛髪に接触させて正又は負の電極となり且つ装着させる手に対して電気絶縁性を有する手袋部１（1a、1b) と、毛髪を処理される者の身体に接触させ且つ上記電極と反対の電極となる接触部２とを直流電源３を介して電気的に接続してなる。
【００１７】
詳細には、上記手袋部1a、1bは、その外面、即ち、毛髪と接触する部分が導電性を有し且つ手袋部1a、1bを装着する手に対して電気絶縁性を有しておればよく、具体的には、図２に示したように、電気絶縁性を有する絶縁性手袋体11と、この絶縁性手袋体11に着脱自在に被せられる導電性手袋体12とからなり、この導電性手袋体12が毛髪に接触して正又は負の電極となる。なお、手袋部１は、毛髪に微妙なタッチで接触させて意図通りの毛髪処理を行なうことができるように、通常の防寒用の手袋と同様に可撓性を有していることが好ましい。又、図２では右手用の手袋部1aのみを示し、左手用の手袋部1bについては、右手用の手袋部1aと線対称であるのでその説明を省略する。
【００１８】
上記絶縁性手袋体11としては、手袋部１を装着する手と上記導電性手袋体12とを電気的に絶縁することができれば、特に限定されるものではなく、ゴムなどの電気絶縁材料から形成されておればよい。
【００１９】
又、上記絶縁性手袋体11に着脱自在に被せられる導電性手袋体12としては、例えば、銅、ステンレス、銀、プラチナなどの金属、炭素などの導電性材料を含有し或いはそれ自体からなる導電性繊維を編成又は織成してなる手袋体や、銅粉、ステンレス粉、銀粉、プラチナ粉などの金属粉や炭素粉などの導電性粉体を含有する合成樹脂又は合成ゴムからなる手袋体などが挙げられる。
【００２０】
なお、手袋部１としては、絶縁性手袋体11を用いることなく、導電性手袋体12の内面全面を、ゴムなどからなる電気絶縁性被膜によって被覆することによって、手袋部１の内面を該手袋部１を装着する手に対して電気絶縁性としてもよい。
【００２１】
又、上記接触部２は上記手袋部１とは別体に形成され、上記手袋部１と反対の電極となる。このような接触部２としては、毛髪を処理される者（以下、「被処理者」という）と直流電源３とを電気的に接続することができればよく、図１に示したような金属棒の他に、被処理者の皮膚表面に着脱自在に貼着可能な導電性パッド、被処理者の手首に着脱自在に装着することができる導電性リストバンドなどが挙げられる。
【００２２】
そして、上記手袋部１の導電性手袋体12（12a 、12b ）と上記直流電源３とが導線４によって電気的に接続されていると共に、上記接触部２と上記直流電源３とが導線５によって電気的に接続されており、上記手袋部１（1a、1b）の導電性手袋体12（12a 、12b ）と上記接触部２とが直流電源３を介して電気的に接続されている。なお、導線４の手袋部１側先端部は二つに分岐され、分岐された各導線部4a、4bをそれぞれ、導電性手袋体12a 、12b に電気的に接続させている。
【００２３】
又、導線４を分岐させることなく、導電性手袋体12a 、12b のうちの何れか一方のみを導線４と電気的に接続させた構造であってもよい。即ち、手袋部1a、1bの何れか一方のみを直流電源３に電気的に接続させたものであってもよい。
【００２４】
更に、上記直流電源３には、直流電流の流れ方向を切り換えるための電流スイッチ31が設けられている。この電流スイッチ31には、直流電流の流れ方向を一定方向に常時維持するモードと、直流電流の流れ方向を所定周波数でもって連続的に反転させるモードを有する。なお、上記手袋部１（1a、1b）と上記接触部２との間の電圧（Ｖ）は、上記直流電源３に設けられた出力スイッチ32によって調整される。
【００２５】
そして、電流スイッチ31を、直流電流の流れ方向を一定方向に常時維持するモードにセットすることによって、上記手袋部1a、1bの導電性手袋体12a 、12b を常時、正電極又は負電極に維持すると共に、上記接触部２を手袋部1a、1bの導電性手袋体12a 、12b とは反対の電極に常時、維持することができる。
【００２６】
又、上記電流スイッチ31を、直流電流の流れ方向を所定周波数でもって反転させるモードとすることによって、上記手袋部1a、1bと上記接触部２との間において、正電極と負電極とを所定の周波数でもって反転させることができる。なお、上記周波数は、上記直流電源３に設けられた周波数調整スイッチ33によって調整される。
【００２７】
次に、上記毛髪処理具Ａの使用要領について説明する。先ず、上記毛髪処理具Ａを用いて、薬剤の毛髪への浸透を促進させる要領について説明する。始めに、上記直流電源３の電源を入れた上で、上記直流電源３の電流スイッチ31を調整して、上記直流電源３から上記接触部２方向に向かって直流電流が常時流れるように、即ち、上記手袋部１（1a、1b）の導電性手袋体12（12a 、12b ）が常時、負電極に、上記接触部２が常時、正電極となるように設定する。なお、上記手袋部１（1a、1b）の導電性手袋体12（12a 、12b ）と上記接触部２との間の電圧（Ｖ）を直流電源３の出力スイッチ32によって調整しておく。この時、上記手袋体１（1a、1b）の導電性手袋体12（12a 、12b ）と上記接触部２との間の電圧（Ｖ）としては２〜３０Ｖが好ましく、１２〜１８Ｖがより好ましい。
【００２８】
又、上記手袋部１（1a、1b）の導電性手袋体12（12a 、12b ）と上記接触部２との間の電圧（Ｖ）は、導電性手袋体12（12a 、12b ）が負電極で、接触部２が正電極である限り、一定であっても、所定周波数で変動させてもよいが、電圧（Ｖ）を変動させることによって毛髪に刺激を与え、毛髪にうるおいを与えることができることから、所定周波数で変動させるのが好ましい。
【００２９】
上記手袋部１の導電性手袋体12（12a 、12b ）と上記接触部２との間の電圧（Ｖ）を所定周波数で変動させる場合の周波数としては、０．１〜１００Ｈｚが好ましく、６〜１２Ｈｚがより好ましい。
【００３０】
しかる後、図３に示したように、上記毛髪処理具Ａの接触部２を、被処理者Ｂに握らせ或いは着脱自在に貼着させることによって接触させる一方、例えば、美容師Ｃがその両手に手袋部1a、1bを構成する絶縁性手袋体11a 、11b を装着した上で、この絶縁性手袋体11a 、11b 上に更に導電性手袋体12a 、12b を装着する。従って、導電性手袋体12a 、12b は、美容師Ｃとは電気絶縁状態にある。そして、薬剤を予め塗布してなる毛髪Ｈを手袋部１が装着された手で触る。なお、手袋部1a、1bを装着する者は被処理者であってもよいが、このような場合には、接触部２として、被処理者の皮膚表面に着脱自在に貼着可能な導電性パッドや被処理者の手首に着脱自在に装着することができる導電性リストバンドを用いることが好ましい。
【００３１】
すると、直流電源３から出た直流電流は、毛髪処理具Ａの接触部２から身体及び毛髪Ｈを介して手袋部1a、1bの導電性手袋体12a 、12b を通って直流電源３に戻る。即ち、このような状態においては、上記手袋部１の導電性手袋体12a 、12b には負電圧が印加され、この導電性手袋体12a 、12b が接触している毛髪には負電圧が印加されており、毛髪は膨潤、軟化し、毛髪の表面を形成しているキューティクルは開く。
【００３２】
このように、負電極とされた手袋部1a、1bの導電性手袋体12a 、12b で髪を触ることによって、一本一本の毛髪のキューティクルを確実に開かせ、毛髪Ｈに塗布した薬剤の毛髪Ｈ内への浸透を促進させることができる。
【００３３】
又、負電極となっている手袋部1a、1bの導電性手袋体12a 、12b は手に装着されていることから、手袋部1a、1bの導電性手袋体12a 、12b を毛髪Ｈに微妙なタッチでもって意図通りに接触させることができる。
【００３４】
従って、手袋部1a、1bの導電性手袋体12a 、12b によって毛髪Ｈ全体に負電圧を確実に印加してキューティクルを開かせ、例えば、パーマネント処理やカラーリング処理において用いられる薬剤、トリートメント処理において用いられるトリートメント薬剤或いは育毛（発毛）処理において用いられる育毛（発毛）薬剤の毛髪への浸透を短時間のうちに確実に行なうことができ、被処理者の負担を軽減することができる。
【００３５】
しかも、毛髪Ｈへの手袋部1a、1bの導電性手袋体12a 、12b の接触を微妙なタッチでもって行なうことができるから、薬剤を特に浸透させたい毛髪部分を手袋部1a、1bを介して手で揉むようにして導電性手袋体12a 、12b を接触させることによって、その毛髪部分に薬剤をより効果的に浸透させることができ、特に、パーマネント処理やカラーリング処理において、所望のヘアスタイルを実現することができる。
【００３６】
次に、毛髪内に浸透した薬剤を毛髪内に確実に保持させる際の上記毛髪処理具Ａの使用要領について説明する。始めに、上記直流電源３の電源を入れた上で、上記直流電源３の電流スイッチ31を調整して、上記直流電源３から上記手袋部１方向に向かって直流電流が常時流れるように、即ち、上記手袋部１（1a、1b）の導電性手袋体12（12a 、12b ）が常時、正電極に、上記接触部２が常時、負電極となるように設定する。なお、上記手袋部1a、1bの導電性手袋体12a 、12b と上記接触部２との間の電圧（Ｖ）を直流電源３の出力スイッチ32によって調整しておく。この時、上記手袋部１（1a、1b）の導電性手袋体12（12a 、12b ）と上記接触部２との間の電圧（Ｖ）としては２〜３０Ｖが好ましく、１２〜１８Ｖがより好ましい。
【００３７】
又、上記手袋部1a、1bの導電性手袋体12a 、12b と上記接触部２との間の電圧（Ｖ）は、導電性手袋部12a 、12b が正電極で、接触部２が負電極である限り、一定であっても、所定周波数で変動させてもよいが、電圧（Ｖ）を変動させることによって毛髪に刺激を与え、毛髪にうるおいを与えることができることから、所定周波数で変動させることが好ましい。
【００３８】
上記手袋部1a、1bの導電性手袋体12a 、12b と上記接触部２との間の電圧（Ｖ）を所定周波数で変動させる場合の周波数としては、０．１〜１００Ｈｚが好ましく、６〜１２Ｈｚがより好ましい。
【００３９】
しかる後、上記要領と同様に、上記毛髪処理具Ａの接触部２を、被処理者Ｂに接触させる一方、上記毛髪処理具Ａの手袋部１（1a、1b）を上述と同様の要領で例えば、美容師Ｃが装着し、薬剤を浸透させてある毛髪Ｈを手袋部1a、1bが装着された手で触る。なお、手袋部1a、1bを装着する者は被処理者であってもよいが、このような場合には、上述と同様に、接触部２として、被処理者の皮膚表面に着脱自在に貼着可能な導電性パッドや被処理者の手首に着脱自在に装着することができる導電性リストバンドを用いることが好ましい。
【００４０】
すると、直流電源３から出た直流電流は、毛髪処理具Ａにおける手袋部1a、1bの導電性手袋体12a 、12b から毛髪及び身体を介して毛髪処理具Ａの接触部２を通って直流電源３に戻る。即ち、このような状態においては、上記手袋部1a、1bの導電性手袋体12a 、12b には正電圧が印加され、この導電性手袋体12a 、12b が接触している毛髪には正電圧が印加されており、毛髪は引き締められ、毛髪の表面を形成しているキューティクルは閉じる。
【００４１】
このように、毛髪の表面を形成しているキューティクルが閉じるのを促進させることによって、毛髪内に浸透させた、例えば、パーマネント処理やカラーリング処理で用いられる薬剤、トリートメント処理で用いられるトリートメント薬剤或いは育毛（発毛）処理で用いられる育毛（発毛）薬剤等を毛髪内に確実に保持させて、これら処理効果を効果的に発揮させることができる。
【００４２】
又、トリートメント処理や育毛（発毛）処理においては、上記直流電源３の電流スイッチ31を、直流電流の流れ方向を所定の周波数でもって連続的に反転させるモードに設定した状態で、上記毛髪処理具Ａを用いることができる。即ち、上記電流スイッチ31を上記モードに設定して、上記手袋部１（1a、1b）の導電性手袋体12（12a 、12b ）と上記接触部２との間において、正電極と負電極とを所定の周波数でもって反転させる。
【００４３】
なお、上記周波数は、上記直流電源３の周波数調整スイッチ33によって調整することができ、０．１〜１００Ｈｚが好ましく、６〜１２Ｈｚがより好ましい。又、上記手袋部１（1a、1b）の導電性手袋体12（12a 、12b ）と上記接触部２との間の電圧（Ｖ）を直流電源３の出力スイッチ32によって調整しておく。この時、上記手袋部１（1a、1b）の導電性手袋体12（12a 、12b ）と上記接触部２との間の電圧（Ｖ）としては２〜３０Ｖが好ましく、１２〜１８Ｖがより好ましい。
【００４４】
しかる後、上記要領と同様に、上記接触部２を被処理者Ｂに接触させる一方、上記毛髪処理具Ａの手袋部１（1a、1b）を上述と同様の要領で例えば、美容師Ｃが装着し、薬剤を浸透させてある毛髪Ｈを手袋部1a、1bが装着された手で触る。なお、手袋部1a、1bを装着する者は被処理者であってもよい。
【００４５】
すると、毛髪に接触させている手袋部1a、1bの導電性手袋体12a 、12b は、正電圧と負電圧とが所定周波数で反転、印加され、この導電性手袋体12a 、12b が接触している毛髪は、正電圧と負電圧とが所定周波数で交互に印加される。
【００４６】
そして、負電圧が毛髪に印加されている時は、上述の如く、毛髪が膨潤、軟化して、毛髪表面のキューティクルが開いてトリートメント薬剤や育毛（発毛）薬剤の毛髪への浸透が促進される一方、正電圧が毛髪に印加されている時は、毛髪が引き締められて、毛髪表面のキューティクルが閉じて、毛髪に浸透させたトリートメント薬剤や育毛（発毛）薬剤を毛髪内に確実に維持させることができる。
【００４７】
この時、手袋部１（1a、1b）を毛髪に接触させながら、手袋部１（1a、1b）で頭皮をマッサージすることによって、頭皮に正電圧と負電圧とを所定周波数でもって交互に印加させ、頭皮内の生体電解質に刺激を与えて頭皮にマッサージ作用を効果的に施し、頭皮内の血流を活発化させることができ、上記毛髪処理具Ａによって育毛（発毛）処理を行っている場合には、毛髪への育毛（発毛）薬剤の浸透保持効果と、頭皮のマッサージ効果とを同時に効果的に行うことができ、育毛（発毛）処理による育毛（発毛）効果を効果的なものとすることができる。
【００４８】
なお、上記の如く、上記手袋部1a、1bの導電性手袋体12a 、12b と上記接触部２との間において、正電極と負電極とを所定の周波数でもって反転させた場合には、処理の最後に、上記直流電源３の電流スイッチ31を調整して、上記手袋部1a、1bの導電性手袋体12a 、12b が常時、正電極に、上記接触部２が常時、負電極となるように設定し、導電性手袋体12a 、12b が接触している毛髪に正電圧を印加して、毛髪の表面を形成しているキューティクルを確実に閉じさせて、毛髪に浸透させたトリートメント薬剤や育毛（発毛）薬剤を毛髪内に確実に保持させるようにするのが好ましい。
【図面の簡単な説明】
【００４９】
【図１】本発明の毛髪処理具を示した斜視図である。
【図２】毛髪処理具の手袋部を示した分解図及び斜視図である。
【図３】本発明の毛髪処理具の使用要領を示した斜視図である。
【符号の説明】
【００５０】
１（1a、1b）  手袋部
11（11a 、11b ）  絶縁性手袋体
12（12a 、12b ）  導電性手袋体
３  直流電源
31  電流スイッチ
32  出力スイッチ
33  周波数調整スイッチ
Ａ  毛髪処理具
Ｂ  被処理者
Ｈ  毛髪
【図１】
2005245979.tif 000003
【図２】
2005245979.tif 000004
【図３】
2005245979.tif 000005